(57)【要約】      （修正有）【課題】様々な使用方法が可能で、収納空間を増やすことができ、簡単に折畳むことができ、使い勝手が良い折畳みラックを提供する。【解決手段】下段ラック１００と、上段ラック２００とを備えた折畳みラックであって、下段ラックは、一対の第１支柱を備えた第１ラックユニット１０と、一対の第２支柱を備えた第２ラックユニット２０と、第１支柱及び第２支柱の間に設けられ下段ラック頂部にラッチ手段４０が設けられた一対のガイド支柱３１と、ガイド支柱に設けられたスライドブロック３２とを有し、上段ラックは、ガイド支柱と連接した一対の上段ガイド支柱と、少なくとも１つのラック部材とを有し、第１支柱及び第２支柱が互いに最大距離に離間したとき、スライドブロックがラッチ手段に嵌合して係止され、スライドブロックをラッチ手段から外すと、第１支柱及び第２支柱をガイド支柱に重ね合わせることができるように構成されている。【選択図】図１
0003163932.tif 000002
【実用新案登録請求の範囲】
【請求項１】
下段ラックと、上段ラックとを備えた折畳みラックであって、
前記下段ラックは、
一対の第１支柱と、上下方向に互いに間隔を置いて第１支柱に枢接される複数の第１棚板とを備えた第１ラックユニットと、
一対の第２支柱と、上下方向に互いに間隔を置いて第２支柱に枢接される複数の第２棚板とを備えた第２ラックユニットと、
前記第１ラックユニット及び前記第２ラックユニットの間に設けられた一対のガイド支柱であって、
底部と、
下段ラック頂部と、
前記下段ラック頂部に設けられたラッチ手段と、
前記底部及び前記下段ラック頂部の間に複数設けられ、前記第１棚板及びそれに対応する前記第２棚板がそれぞれ枢接された複数の枢接部を備えたガイド支柱と、
前記一対のガイド支柱にそれぞれ滑り移動可能に設けられ、第１の係止部を備えたスライドブロックと、
前記第１支柱及び前記スライドブロックの間に掛け渡されて枢接された２本の第１連結手段と、
前記第２支柱及び前記スライドブロックの間に掛け渡されて枢接された２本の第２連結手段を有し、
前記上段ラックは、
それぞれが前記ガイド支柱と連接して前記ガイド支柱の延伸方向に沿って延伸する一対の上段ガイド支柱と、
一対の前記上段ガイド支柱の間に設けられた少なくとも１つのラック部材を有し、
前記第１ラックユニットの前記第１支柱及び前記第２ラックユニットの前記第２支柱が互いに最大距離に離間したとき、前記ガイド支柱の前記下段ラック頂部で前記スライドブロックの前記第１の係止部が前記ラッチ手段に嵌合して係止され、前記スライドブロックを前記ラッチ手段から外すと、前記第１支柱及び前記第２支柱をそれぞれ前記ガイド支柱に重ね合わせることができるように構成されていることを特徴とする折畳みラック。
【請求項２】
前記上段ラックの前記上段ガイド支柱と前記ガイド支柱とは一体形成されていることを特徴とする請求項１に記載の折畳みラック。
【請求項３】
前記上段ラックは更に、前記第１支柱に連結する一対の上段第１支柱と、
前記第２支柱に連結する一対の上段第２支柱とを有し、
前記ラック部材は、前記上段ガイド支柱及び前記上段第１支柱の間に枢接された複数の第１上段棚板と、前記上段ガイド支柱及び前記上段第２支柱の間に、前記第１上段棚板に対応するように枢接された複数の第２上段棚板とを有することを特徴とする請求項２に記載の折畳みラック。
【請求項４】
前記上段ラックは更に、前記第１支柱に連結する一対の前記上段第１支柱を備え、前記ラック部材は前記上段ガイド支柱と前記上段第１支柱との間に枢接されていることを特徴とする請求項２に記載の折畳みラック。
【請求項５】
前記上段ラックの前記ラック部材は、横方向に延伸する棒状であることを特徴とする請求項２に記載の折畳みラック。
【請求項６】
前記上段ラックのラック部材は、板状であり、前記上段ガイド支柱との間に所定の角度を画成することを特徴とする請求項２に記載の折畳みラック。
【請求項７】
前記上段ラックは、一対の接続具を備え、前記上段ガイド支柱が前記ガイド支柱に対して着脱可能なように、前記接続具は前記上段ガイド支柱及び前記ガイド支柱の連接部に取り付けられていることを特徴とする請求項１に記載の折畳みラック。
【請求項８】
前記ラッチ手段は、
前記ガイド支柱に固定されている固定具に揺動可能に枢接される揺動具であって、
枢接部と、
前記枢接部の一側に設けられた第２の係止部と、
前記枢接部の他側に設けられた附勢端部とを備える揺動具と、
前記固定具と前記附勢端部との間に介在する附勢部材とを有し、
前記揺動具の第２の係止部が前記スライドブロックの前記第１の係止部と嵌合して係止することができ、且つ、前記附勢部材により前記第２の係止部が前記第１の係止部の方向に附勢していることを特徴とする請求項１に記載の折畳みラック。
【考案の詳細な説明】
【技術分野】
【０００１】
本考案は、ラックに関し、特に、折畳みラックに関する。
【背景技術】
【０００２】
従来の折畳みラックとして、例えば図１０に示すように、主に、展開状態における正面の左右方向に沿って互いに間隔をおいて配置されたフレーム６１、６２、６３と、上向きに折り曲げられることができるように各フレーム６１〜６３の上側及び下側に枢結された２枚の折畳み式の棚板６４、６５とから構成されたロータイプのラック６が知られている（特許文献１参照）。２つのラッチ部材６６、６６が、それぞれ中央のフレーム６２の手前と奥の上端部に設けられ、中央のフレーム６２における２つのスライドブロック６７、６７を係止でき、またこの係止を解除できるように構成されている。
【０００３】
このラック６は、２つのスライドブロック６７、６７が、前記展開状態において２つのラッチ部材６６、６６に係止され、また、折り畳む際は、２つのラッチ部材６６、６６との係止からこれらスライドブロック６７、６７が脱離するように操作してから、前記展開状態から中央のフレーム６２を軸にして持ち上げて左右両側を折り合わせ、コンパクトに折畳めるようになっている。
【先行技術文献】
【特許文献】
【０００４】
【特許文献１】台湾実用新案登録第Ｍ３０２９４１号公報
【考案の概要】
【考案が解決しようとする課題】
【０００５】
従来の折畳みラックは、複数の棚板を有するハイタイプのラックとして用いるには、中央のフレーム６２の上端部に設けられたラッチ部材６６の操作が難しいため、使い勝手が悪いという問題点があった。また、従来の折畳みラックは、複数の同様な棚板が設置されたラックとしてしか使用できず、使用方法が限られる。
【０００６】
本考案は、前記問題点を鑑みてなされたものであり、様々な使用方法が可能で、収納空間を増やすことができ、簡単に二つ折りに畳むことができ、使い勝手が良い折畳みラックを提供することを目的とする。
【課題を解決するための手段】
【０００７】
上記目的を達成するため、本考案は、下段ラックと、上段ラックとを備えた折畳みラックであって、前記下段ラックは、一対の第１支柱と、上下方向に互いに間隔を置いて第１支柱に枢接される複数の第１棚板とを備えた第１ラックユニットと、一対の第２支柱と、上下方向に互いに間隔を置いて第２支柱に枢接される複数の第２棚板とを備えた第２ラックユニットと、前記第１ラックユニット及び前記第２ラックユニットの間に設けられた一対のガイド支柱であって、底部と、下段ラック頂部と、前記下段ラック頂部に設けられたラッチ手段と、前記底部及び前記下段ラック頂部の間に複数設けられ、前記第１棚板及びそれに対応する前記第２棚板がそれぞれ枢接された複数の枢接部を備えたガイド支柱と、前記一対のガイド支柱にそれぞれ滑り移動可能に設けられ、第１の係止部を備えたスライドブロックと、前記第１支柱及び前記スライドブロックの間に掛け渡されて枢接された２本の第１連結手段と、前記第２支柱及び前記スライドブロックの間に掛け渡されて枢接された２本の第２連結手段を有し、前記上段ラックは、それぞれが前記ガイド支柱と連接して前記ガイド支柱の延伸方向に沿って延伸する一対の上段ガイド支柱と、一対の前記上段ガイド支柱の間に設けられた少なくとも１つのラック部材を有し、前記第１ラックユニットの前記第１支柱及び前記第２ラックユニットの前記第２支柱が互いに最大距離に離間したとき、前記ガイド支柱の前記下段ラック頂部で前記スライドブロックの前記第１の係止部が前記ラッチ手段に嵌合して係止され、前記スライドブロックを前記ラッチ手段から外すと、前記第１支柱及び前記第２支柱をそれぞれ前記ガイド支柱に重ね合わせることができるように構成されていることを特徴とする折畳みラックを提供する。
【考案の効果】
【０００８】
前記構成による本考案の折畳みラックは、上段ラックを設置したことにより、様々な使用方法が可能となり、収納空間を増やすことができ、また、ラッチ手段が手に届きやすい箇所に設置されるので操作しやすく、展開状態から簡単に二つ折りに畳むことができる。
【図面の簡単な説明】
【０００９】
【図１】本考案の第１実施形態における折畳みラックを示す斜視図である。
【図２】第１実施形態における折畳みラックの正面図である。
【図３】図２のIII―III線の側面断面図である。
【図４】第１実施形態における折畳みラックを折り畳んだ状態を示す正面図である。
【図５】図４のＶ―Ｖ線の側面断面図である。
【図６】本考案の第２実施形態における折畳みラックを示す斜視図である。
【図７】本考案の第３実施形態における折畳みラックを示す斜視図である。
【図８】本考案の第４実施形態における折畳みラックを示す斜視図である。
【図９】本考案の第５実施形態における折畳みラックを示す斜視図である。
【図１０】従来の折畳みラックの例を示す斜視図である。
【考案を実施するための形態】
【００１０】
以下、図１〜９を参照して、本考案の第１〜５の実施形態を説明する。
【００１１】
図１及び図２に示すように、第１実施形態における折畳みラック１は、下段ラック１００と、上段ラック２００とを備えている。
【００１２】
下段ラック１００は、手前と奥とで対をなす、一対の第１支柱１１と、上下方向に互いに間隔を置いて第１支柱１１に枢接される複数の第１棚板１２とを備えた第１ラックユニット１０と、手前と奥とで対をなす、一対の第２支柱２１と、上下方向に互いに間隔を置いて第２支柱２１に枢接される複数の第２棚板２２とを備えた第２ラックユニット２０と、第１ラックユニット１０及び第２ラックユニット２０を連結する連結ユニット３０とから構成されている。
【００１３】
連結ユニット３０は、第１ラックユニット１０及び第２ラックユニット２０の間に設けられ、底部３１１と、下段ラック頂部３１２と、底部３１１及び下段ラック頂部３１２の間に複数設けられた複数の枢接部３１６とを備えた一対のガイド支柱３１を有する。
【００１４】
図１、図２、図４に示すように、複数の第１棚板１２と複数の第２棚板２２とはそれぞれ左右対応して配置されており、第１棚板１２の一側１２１が第１支柱１１に枢接され、他側１２２がガイド支柱３１の各枢接部３１６に枢接されている。同様に、第２棚板２２の一側２２１が第２支柱２１に枢接され、他側２２２がガイド支柱３１の各枢接部３１６に枢接されている。
【００１５】
また、図２、図３に示すように、連結ユニット３０は、一対のガイド支柱３１にそれぞれ滑り移動可能に設けられ、第１の係止部３２１を備えたスライドブロック３２と、第１支柱１１及びスライドブロック３２の間に掛け渡されて枢接された２本の第１連結手段３３と、第２支柱２１及びスライドブロック３２の間に掛け渡されて枢接された２本の第２連結手段３４とを有する。更に、図３及び図４に示すように、ガイド支柱３１の下段ラック頂部３１２には、固定具３１４が固定されており、これに対応してラッチ手段４０が設けられている。固定具３１４の上部には、長方形板体３１４´が形成されている。
【００１６】
ラッチ手段４０は、図３及び図５に示すように、枢接部４１１を介して固定具３１４に揺動可能に枢接される揺動具４１と、固定具３１４と揺動具４１との間に介在される附勢部材４２とを備えている。
【００１７】
揺動具４１は、枢接部４１１の下側に設けられた第２の係止部４１２と、枢接部４１１の上側に設けられ、附勢部材４２を介して固定部３１４と連結する附勢端部４１３とを有する。附勢部材４２は、附勢端部４１３を固定部３１４から離し、第２の係止部４１２を第１の係止部３２１に嵌合させて係止するように附勢する。なお、附勢端部４１３の、附勢部材４２に当接する箇所は、外へ突出て中空部が画成され、且つ、その中空部に円柱が突出し附勢部材４２としてのコイルバネを嵌めることができるように形成されていることが好ましい。
【００１８】
図１、図２に示すように、上段ラック２００は、それぞれが前記ガイド支柱３１と連接して前記ガイド支柱３１の延伸方向に沿って延伸する一対の上段ガイド支柱５１と、第１支柱１１に連結する一対の上段第１支柱５２と、第２支柱２１に連結する一対の上段第２支柱５３と、上段ガイド支柱５１及び上段第１支柱５２の間に枢接された複数の第１上段棚板５４１と、上段ガイド支柱５１及び上段第２支柱５３の間に枢接された複数の第２上段棚板５４２とを有し、それぞれ対応する第１上段棚板５４１と第２上段棚板５４２とで一段のラック部材５４が構成されている。本実施形態においては、上段ガイド支柱５１とガイド支柱３１とが、第１支柱１１と上段第１支柱５２とが、第２支柱２１と上段第２支柱５３とが、それぞれ一体形成されている。
【００１９】
図１、図２、図３に示すように、本考案の折畳みラックは、展開状態において、前記第１ラックユニット１０の第１支柱１１及び第２ラックユニット２０の前記第２支柱２１が互いに最大距離に離間したとき、上段第１支柱５２及び上段第２支柱５３が第２支柱２１及び第１支柱１１とそれぞれ一体形成されていることから、上段第１支柱５２及び段第２支柱５３も互いに最大距離に離間され、複数の第１棚板１２と複数の第２棚板２２がそれぞれ互いに水平に並列し、物品を置くことができるようになる。この時、図３に示すように、スライドブロック３２がラッチ手段４０に接近し、附勢部材４２の弾性により第１の係止部３１２が第２の係止部４１２に嵌合して係止されることによりスライドブロック３２と揺動具４１が連結され、即ち、スライドブロック３２がガイド支柱３１の固定具３１４に固定され、第１棚板１２、第２棚板２２、及びラック部材５４がいずれも水平に保持される。
【００２０】
図４、５に示すように、第１実施形態における折畳みラックは、展開状態から折り畳む時、まず、その附勢力に抵抗するように揺動具４１の附勢端部４１３を内側に押し、附勢端部４１３の内側を固定具３１４に接近させると同時に第２の係止部４１２を外側に揺動させ、第２の係止部４１２と第１の係止部３２１との係止を解除する。次に、揺動具４１の附勢端部４１３を押したままの状態で上に引き上げると、ガイド支柱３１が持ち上げられ、それに伴ってスライドブロック３２が滑り移動しながらラッチ手段４０から離れ、下段ラック１００の第１支柱１１及び第２支柱２１をそれぞれガイド支柱３１に重なり合わせることができると同時に、上段ラック２００の上段第１支柱５２及び上段第２支柱５３をそれぞれ上段ガイド支柱５１に重なり合わせることができる。それに伴い、第１の棚板１２と第２の棚板２２がガイド支柱３１に向かって回動して重なり合い、上段第１棚板５４１と上段第２棚板５４２が上段ガイド支柱５１に向かって回動して重なり合うことができるので、ラック全体をコンパクトに折り畳むことができる。操作時、特に、ラッチ手段が操作しやすい位置にあるため、展開状態から簡単に二つ折りに畳むことができる。
【００２１】
なお、図４に示すように、本実施例の折畳みラックが折畳まれた後、上段第１支柱５２及び上段第２支柱５３が、長方形板体３１４´の両側に当接し、その間に所定の間隔が空くようなっているので、折り畳まれた状態の折畳みラックを安定して直立させることができる。また、長方形板体３１４´は、取っ手としての役割もある。
【００２２】
本考案に係る折畳みラックは、複数の棚板を有するラックだけではなく、他の実施形態にも応用することができ、他の実施形態においても必要に応じて展開したり折り畳んだりすることができ、ラッチ手段４０が操作しやすく、折り畳み操作も非常に簡単である。
【００２３】
図６は、本考案に係る第２実施形態を示す折畳みラックの斜視図である。第２の実施形態の折畳みラックの構成は第１の実施形態とほぼ同様であるが、上段ラック２００Ａの構造が異なる。第２の実施形態における示す折畳みラックは、上段ラック２００Ａが、一対の上段ガイド支柱５１Ａと、一対の上段第１支柱５２Ａと、上段ガイド支柱５１Ａ及び上段第１支柱５２Ａの上端に掛け渡された板状のラック部材５４Ａとからなっている。この実施形態における折畳みラックは、例えば、パソコン及び周辺機器などを設置するために用いることができる。
【００２４】
図７は、本考案に係る第３実施形態を示す折畳みラックの斜視図である。第３の実施形態の折畳みラックの構成は第１の実施形態とほぼ同様であるが、上段ラック２００Ｂの構造が異なる。第２の実施形態における上段ラック２００Ｂは、一対の上段ガイド支柱５１Ｂが湾曲して一体形成されることにより、棒状のラック部材５４Ｂが形成されている。ラック部材５４Ｂは、物品を引っ掛けて使用することができ、例えば、ラック部材５４Ｂに設けられたフックにコップなどを引っ掛けて使用される。
【００２５】
図８は、本考案に係る第４実施形態を示す折畳みラックの斜視図である。第４の実施形態の折畳みラックの構成は第３の実施形態とほぼ同様であるが、第４の実施形態の上部ラック２００Ｃは、一対の接続具５５０を備え、上段ガイド支柱５１Ｃがガイド支柱３１に対して着脱可能なように、一対の接続具５５０は上段ガイド支柱５１Ｃとガイド支柱３１との連接部に取り付けられていることが第３実施形態の折畳みラックと異なる。この形態におけるラック部材５４Ｃもまた物品を引っ掛けて使用することができ、例えば、ラック部材５４Ｃに設けられたフックにコップなどを引っ掛けて使用される。
【００２６】
図９は、本考案に係る第５実施形態を示す折畳みラックの斜視図である。第５実施形態の折畳みラックの構成は、他の実施形態とほぼ同様であるが、上段ラック２００Ｄの構造が異なる。上部ラック２００Ｄは、一対の上段ガイド支柱５１Ｄの上端に、上段ガイド支柱５１Ｄとの間に所定の角度を画成して板状のラック部材５４Ｄが掛け渡され、物品を載置することができるようになっている。この実施形態における折畳みラックは、例えば、ラック部材５４Ｄに設けられたフックにコップなどを引っ掛けて使用される。
【産業上の利用可能性】
【００２７】
上述したように、本考案の折畳みラックは、上段ラックを設置したことにより、様々な使用方法が可能となり、収納空間を増やすことができ、また、ラッチ手段が手に届きやすい箇所に設置されるので操作しやすく、展開状態から簡単に二つ折りに畳むことができる。
【符号の説明】
【００２８】
１００  下段ラック
１０  第１ラックユニット
１１  第１支柱
１２  第１棚板
１２２  一側
１２１  他側
２０  第２ラックユニット
２１  第２支柱
２２  第２棚板
２２２  一側
２２１  他側
３０  連結ユニット
３１  ガイド支柱
３１１  底部
３１２  下段ラック頂部
３１４  固定具
３１４´  長方形板体
３１６  枢接部
３２  スライドブロック
３２１  第１の係止部
３３  第１連結手段
３４  第２連結手段
４０  ラッチ手段
４１  揺動具
４１１  枢接部
４１２  第２の係止部
４１３  附勢端部
４２  附勢部材
２００  上段ラック
５１  上段ガイド支柱
５２  上段第１支柱
５３  上段第２支柱
５４  ラック部材
５４１  第１上段棚板
５４２  第２上段棚板
【図１】
0003163932.tif 000003
【図２】
0003163932.tif 000004
【図３】
0003163932.tif 000005
【図４】
0003163932.tif 000006
【図５】
0003163932.tif 000007
【図６】
0003163932.tif 000008
【図７】
0003163932.tif 000009
【図８】
0003163932.tif 000010
【図９】
0003163932.tif 000011
【図１０】
0003163932.tif 000012